(57)【要約】【課題】放送ストリームのフレーム構成を意識せずに、受信装置が放送ストリームを再生可能な送信装置、受信装置および通信システムを提供する。【解決手段】ヘッダ部とデータ部と付加情報部からなる放送パケットにて構成されたフレームを構成要素とする放送ストリームを圧縮してデータ信号を生成し、データ信号を複数の伝送パケットを用いて送信する送信装置は、放送ストリーム内に放送パケットの一種であるヌルパケットが存在する場合、ヌルパケット内のヘッダ部およびデータ部にて構成される部分の少なくとも一部である圧縮対象部分を、圧縮対象部分のサイズよりも小さいサイズを有しヌルパケットを示す表示情報部に変換することによって、放送ストリームを圧縮してデータ信号を生成する生成手段と、データ信号を複数の伝送パケットを用いて送信する送信手段と、を含む。【選択図】図１
2011176684.tif 000002
【特許請求の範囲】
【請求項１】
ヘッダ部とデータ部と付加情報部からなる放送パケットにて構成されたフレームを構成要素とする放送ストリームを圧縮してデータ信号を生成し、当該データ信号を複数の伝送パケットを用いて送信する送信装置であって、
前記放送ストリーム内に前記放送パケットの一種であるヌルパケットが存在する場合、当該ヌルパケット内のヘッダ部およびデータ部にて構成される部分の少なくとも一部である圧縮対象部分を、当該圧縮対象部分のサイズよりも小さいサイズを有し前記ヌルパケットを示す表示情報部に変換することによって、前記放送ストリームを圧縮して前記データ信号を生成する生成手段と、
前記データ信号を前記複数の伝送パケットを用いて送信する送信手段と、を含む送信装置。
【請求項２】
請求項１に記載の送信装置において、
前記圧縮対象部分は、前記ヌルパケット内のヘッダ部およびデータ部にて構成される部分である、送信装置。
【請求項３】
請求項１または２に記載の送信装置において、
前記付加情報部には、ISDB-T方式で規定された制御情報と、前記ISDB-T方式で規定された誤り訂正用情報と、が記述されており、
前記生成手段は、前記放送ストリーム内に前記ヌルパケットが存在する場合、前記圧縮対象部分を前記表示情報部に変換し、かつ、当該ヌルパケット内の付加情報部のうち前記誤り訂正用情報が記述された部分を削除することによって、前記放送ストリームを圧縮して前記データ信号を生成する、送信装置。
【請求項４】
請求項１から３のいずれか１項に記載の送信装置から送信された複数の伝送パケットを受信する受信手段と、
前記受信手段にて受信された複数の伝送パケットから前記データ信号を取得する取得手段と、
前記取得手段にて取得されたデータ信号内に前記表示情報部が存在する場合、当該表示情報部を、前記圧縮対象部分に変更することによって、前記データ信号を放送ストリームに変更する変更手段と、を含む受信装置。
【請求項５】
請求項１から３のいずれか１項に記載の送信装置と、請求項４に記載の受信装置と、を含む通信システム。
【請求項６】
ヘッダ部とデータ部と付加情報部からなる放送パケットにて構成されたフレームを構成要素とする放送ストリームを圧縮してデータ信号を生成し、当該データ信号を複数の伝送パケットを用いて送信する送信装置での送信方法であって、
前記放送ストリーム内に前記放送パケットの一種であるヌルパケットが存在する場合、当該ヌルパケット内のヘッダ部およびデータ部にて構成される部分の少なくとも一部である圧縮対象部分を、当該圧縮対象部分のサイズよりも小さいサイズを有し前記ヌルパケットを示す表示情報部に変換することによって、前記放送ストリームを圧縮して前記データ信号を生成する生成ステップと、
前記データ信号を前記複数の伝送パケットを用いて送信する送信ステップと、を含む送信方法。
【請求項７】
請求項６に記載の送信方法において、
前記圧縮対象部分は、前記ヌルパケット内のヘッダ部およびデータ部にて構成される部分である、送信方法。
【請求項８】
請求項６または７に記載の送信方法において、
前記付加情報部には、ISDB-T方式で規定された制御情報と、前記ISDB-T方式で規定された誤り訂正用情報と、が記述されており、
前記生成ステップでは、前記放送ストリーム内に前記ヌルパケットが存在する場合、前記圧縮対象部分を前記表示情報部に変換し、かつ、当該ヌルパケット内の付加情報部のうち前記誤り訂正用情報が記述された部分を削除することによって、前記放送ストリームを圧縮して前記データ信号を生成する、送信方法。
【請求項９】
受信装置での変換方法であって、
請求項１から３のいずれか１項に記載の送信装置から送信された複数の伝送パケットを受信する受信ステップと、
前記複数の伝送パケットから前記データ信号を取得する取得ステップと、
前記データ信号内に前記表示情報部が存在する場合、当該表示情報部を、前記圧縮対象部分に変更することによって、前記データ信号を放送ストリームに変更する変更ステップと、を含む変換方法。
【発明の詳細な説明】
【技術分野】
【０００１】
本発明は、放送ストリームを伝送するための送信装置、受信装置、通信システム、送信方法および変換方法に関する。
【背景技術】
【０００２】
地上デジタル放送の信号形式のTS（Transport Stream）を、所定の送信局または中継局に伝送する手法が知られている。なお、地上デジタル放送の信号形式のTSは、一般的に放送ストリームと呼ぶことができる。
【０００３】
地上デジタル放送の信号形式のTSとしては、ISDB-T（Integrated Services Digital Broadcasting-Terrestrial）形式の放送TSが挙げられる。放送TSは、複数の情報（例えば、音声情報と映像情報とデータ情報）が多重化された多重フレームにて構成される。ISDB-T形式の放送TSでは、多重フレームは、複数の情報が多重化されたフレームを多重化することによって生成される。多重フレームは、複数の放送TSパケットにて構成される。
【０００４】
特許文献１には、ISDB-T形式の放送TSを衛星デジタル放送の信号形式に変換し、変換後の放送TSを放送衛星を介して中継局に伝送する送信システムと、放送衛星から変換後の放送TSを受信し、受信された放送TSをISDB-T形式に変換する中継局と、が記載されている。
【０００５】
また、特許文献１に記載の送信システムは、伝送量を少なくするために、ISDB-T形式の放送TS内のNull（ヌル）パケットを削除し、Nullパケットが削除された放送TSを、衛星デジタル放送の信号形式に変換し、変換後の放送TSを伝送する。
【先行技術文献】
【特許文献】
【０００６】
【特許文献１】特開２００９−４４３５４号公報
【発明の概要】
【発明が解決しようとする課題】
【０００７】
特許文献１に記載の送信システムは、ISDB-T形式の放送TS内のNullパケットを削除する。放送TSからNullパケットが削除されると、削除されたNullパケットを有していた多重フレームの構成が崩れる。
【０００８】
よって、特許文献１に記載の中継器では、例えば、衛星デジタル放送の信号形式に変換された放送TSを、ISDB-T形式の放送TSに変換する際、フレーム構成パターンを再生成し、再生成されたフレーム構成パターンに基づいて、多重フレームを再構築する必要があるという課題があった。
【０００９】
本発明は、上記課題を解決可能な送信装置、受信装置、通信システム、送信方法および変換方法を提供することにある。
【課題を解決するための手段】
【００１０】
本発明の送信装置は、ヘッダ部とデータ部と付加情報部からなる放送パケットにて構成されたフレームを構成要素とする放送ストリームを圧縮してデータ信号を生成し、当該データ信号を複数の伝送パケットを用いて送信する送信装置であって、前記放送ストリーム内に前記放送パケットの一種であるヌルパケットが存在する場合、当該ヌルパケット内のヘッダ部およびデータ部にて構成される部分の少なくとも一部である圧縮対象部分を、当該圧縮対象部分のサイズよりも小さいサイズを有し前記ヌルパケットを示す表示情報部に変換することによって、前記放送ストリームを圧縮して前記データ信号を生成する生成手段と、前記データ信号を前記複数の伝送パケットを用いて送信する送信手段と、を含む。
【００１１】
本発明の受信装置は、上記送信装置から送信された複数の伝送パケットを受信する受信手段と、前記受信手段にて受信された複数の伝送パケットから前記データ信号を取得する取得手段と、前記取得手段にて取得されたデータ信号内に前記表示情報部が存在する場合、当該表示情報部を、前記圧縮対象部分に変更することによって、前記データ信号を放送ストリームに変更する変更手段と、を含む。
【００１２】
本発明の通信システムは、上記送信装置と、上記受信装置と、を含む。
【００１３】
本発明の送信方法は、ヘッダ部とデータ部と付加情報部からなる放送パケットにて構成されたフレームを構成要素とする放送ストリームを圧縮してデータ信号を生成し、当該データ信号を複数の伝送パケットを用いて送信する送信装置での送信方法であって、前記放送ストリーム内に前記放送パケットの一種であるヌルパケットが存在する場合、当該ヌルパケット内のヘッダ部およびデータ部にて構成される部分の少なくとも一部である圧縮対象部分を、当該圧縮対象部分のサイズよりも小さいサイズを有し前記ヌルパケットを示す表示情報部に変換することによって、前記放送ストリームを圧縮して前記データ信号を生成する生成ステップと、前記データ信号を前記複数の伝送パケットを用いて送信する送信ステップと、を含む。
【００１４】
本発明の変換方法は、受信装置での変換方法であって、上記送信装置から送信された複数の伝送パケットを受信する受信ステップと、前記複数の伝送パケットから前記データ信号を取得する取得ステップと、前記データ信号内に前記表示情報部が存在する場合、当該表示情報部を、前記圧縮対象部分に変更することによって、前記データ信号を放送ストリームに変更する変更ステップと、を含む。
【発明の効果】
【００１５】
本発明によれば、伝送量を少なくでき、かつ、放送ストリームのフレーム構成を再構成することなく、受信装置が放送ストリームを再生することが可能となる。
【図面の簡単な説明】
【００１６】
【図１】本発明の一実施形態の放送システムを示した図である。
【図２】パケット構成を示した図である。
【図３】送信側TS変換装置１２で処理される放送TS、信号Aおよび信号Bを示した図である。
【図４】受信側TS変換装置２２で処理される信号B’、信号A’および放送TSを示した図である。
【発明を実施するための形態】
【００１７】
以下、本発明の一実施形態について図面を参照して説明する。
【００１８】
図１は、本発明の実施形態に係る、衛星回線を用いた放送システムの一例を示した図である。放送システムは、送信局システム１と、受信局システム２と、衛星装置３と、を含む。放送システムは、一般的に通信システムと呼ぶことができる。送信局システム１は、一般的に送信装置と呼ぶことができる。受信局システム２は、一般的に受信装置と呼ぶことができる。
【００１９】
図１（ａ）において、送信局システム１は、ISDB-T MUX（マルチプレクサ）装置１１と、送信側TS変換装置１２と、衛星回線送信機１３と、基準信号発生器１４と、を含む。
【００２０】
基準信号発生器１４は、GPS（Global Positioning System）同期型の基準信号発生器である。基準信号発生器１４は、GPS信号に同期した10MHzの基準信号を発生する。基準信号発生器１４は、10MHzの基準信号をISDB-T MUX装置１１に出力する。
【００２１】
ISDB-T MUX装置１１は、地上デジタル放送用TS（Transport Stream）多重化装置である。ISDB-T MUX装置１１は、基準信号発生器１４から出力された10MHzの基準信号に同期したクロックを生成し、そのクロックに同期した32.5Mbps（パケットの大きさが204バイト形式）の放送TSを生成する。放送TSは、一般的に放送ストリームと呼ぶことができる。
【００２２】
なお、ISDB-T MUX装置１１にて生成される放送TSは、ISDB-T形式の放送TSである。ISDB-T形式の放送TSは、複数の情報（例えば、音声情報と映像情報とデータ情報）が多重化された多重フレームを構成要素とする。ISDB-T形式の放送TSでは、多重フレームは、複数の情報が多重化されたフレームを多重化することによって生成される。多重フレームは、一般的にフレームと呼ぶことができる。多重フレームは、複数の放送TSパケットにて構成される。放送TSパケットは、一般的に放送パケットと呼ぶことができる。
【００２３】
図２（ａ）は、放送TSパケット４の構成を示した図である。
【００２４】
図２（ａ）において、放送TSパケット４は、0x47値（16進表示）、パケットID（PID）および連続性カウンタ値等の情報を示すTSヘッダ部４１と、アダプテーションフィールドとペイロードとからなる部分（以下「ペイロード部」と称する）４２と、ダミーバイト部４３と、で構成されている。
【００２５】
TSヘッダ部４１は、一般的にヘッダ部と呼ぶことができる。ペイロード部４２は、一般的にデータ部と呼ぶことができる。ダミーバイト部４３は、一般的に付加情報部と呼ぶことができる。
【００２６】
TSヘッダ部４１のサイズは、4バイトである。ペイロード部４２のサイズは、184バイトである。ダミーバイト部４３のサイズは、16バイトである。このため、放送TSパケット４のサイズは、204バイトとなる。
【００２７】
ダミーバイト部４３の前8バイトには、ISDB-T方式で規定された制御情報が記述されている。この制御情報は、ISDB-T Information（以下「II」と称する）と呼ばれ、放送TSパケット４の階層を示す階層情報を含む。
【００２８】
ダミーバイト部４３の残りの8バイトには、ISDB-T方式で規定された誤り訂正用情報が記述されている。誤り訂正用情報としては、Reed-Solomon（以下「RS」と称する）符号が用いられる。以下、ダミーバイト部をII+RS部とも称する。
【００２９】
図１（ａ）に示したISDB-T MUX装置１１は、放送TSを送信側TS変換装置１２に出力する。
【００３０】
なお、ISDB-T MUX装置１１は、ペイロード部４２に載せるデータがないとき、Null（ヌル）パケットと呼ばれる伝送ビットレート調整用のパケットを、放送TSを構成するパケットつまり放送パケットとして、送信側TS変換装置１２に出力する。
【００３１】
放送TSを構成するNullパケットは、放送TSの構成要素である多重フレームの一部を構成する。放送TSを構成するNullパケットも、放送TSパケット４と同様に、サイズが4バイトのTSヘッダ部４１と、サイズが184バイトのペイロード部４２と、サイズが16バイトのII+RS部４３と、で構成される。
【００３２】
送信側TS変換装置１２は、放送TSを受け付けると、放送TSを伝送TSに変換する。伝送TSは、一般的に伝送ストリームと呼ぶことができる。伝送TSは、複数の伝送TSパケットにて構成される。伝送TSパケットは、一般的に伝送パケットと呼ぶことができる。
【００３３】
図２（ｂ）は、伝送TSパケット５の構成を示した図である。
【００３４】
図２（ｂ）において、伝送TSパケット５は、0x47値（16進表示）とPayload_unit_start_indicator値とを示す伝送用TSヘッダ部５１と、アダプテーションフィールドとペイロードとからなる部分（以下「ペイロード部」と称する）５２と、で構成されている。
【００３５】
伝送用TSヘッダ部５１は、一般的にヘッダ部と呼ぶことができる。ペイロード部５２は、一般的にデータ部と呼ぶことができる。
【００３６】
伝送用TSヘッダ部５１のサイズは、4バイトである。ペイロード部５２のサイズは、184バイトである。このため、伝送TSパケット５のサイズは、188バイトとなる。
【００３７】
図１（ｂ）は、送信側TS変換装置１２を示したブロック図である。
【００３８】
図１（ｂ）において、送信側TS変換装置１２は、放送TS同期部１２１と、Nullパケット圧縮部１２２と、伝送TSパケット化部１２３と、速度変換処理部１２４と、を含む。放送TS同期部１２１とNullパケット圧縮部１２２とは、生成部１２Ａに含まれる。生成部１２Ａは、一般的に生成手段と呼ぶことができる。伝送TSパケット化部１２３と速度変換処理部１２４と衛星回線送信機１３とは、送信部１２Ｂに含まれる。送信部１２Ｂは、一般的に送信手段と呼ぶことができる。
【００３９】
図３は、送信側TS変換装置１２で処理される放送TS、信号Aおよび信号Bを示した図である。
【００４０】
図１（ｂ）に示した生成部１２Ａは、放送TS内に放送TSパケットの一種であるNullパケットが存在する場合、そのNullパケット内のTSヘッダ部（4バイト）４１およびペイロード部（184バイト）４２を、先頭表示バイト（1バイト）に変換することによって、放送TSを圧縮して、データ信号である信号Aを生成する。生成部１２Ａは、信号Aを送信部１２Ｂに出力する。
【００４１】
なお、先頭表示バイトは、Nullパケットの先頭を表す0xB8値を示す。
【００４２】
また、放送TSパケットであるNullパケット内のTSヘッダ部４１およびペイロード部４２で構成される部分は、圧縮対象部分と呼ぶことができる。圧縮対象部分は、放送TSパケットであるNullパケット内のTSヘッダ部４１およびペイロード部４２で構成される部分の少なくとも一部である。
【００４３】
送信部１２Ｂは、信号Aを複数の伝送TSパケットを用いて送信する。
【００４４】
放送TS同期部１２１は、放送TSの同期検出を行う。放送TS同期部１２１は、例えば、放送TSパケット４内のTSヘッダ部４１から0x47値を検出し、0x47値の検出タイミングに同期した同期信号を生成し、同期信号をNullパケット圧縮部１２２に出力する。
【００４５】
Nullパケット圧縮部１２２は、放送TS（図３（ａ）参照）内のNullパケットを圧縮して信号A（図３（ｂ）参照）を生成する。
【００４６】
本実施形態では、Nullパケット圧縮部１２２は、放送TS同期部１２１からの同期信号に同期したタイミングで、放送TSパケット４のTSヘッダ部４１に記載された情報を読み出す。
【００４７】
Nullパケット圧縮部１２２は、TSヘッダ部４１に、Nullパケットを示すPIDが記載されていた場合、そのTSヘッダ部４１と、そのTSヘッダ部４１を含むパケット（つまり、Nullパケット）内のペイロード部４２を削除し、Nullパケットのうち残ったII+RS部４３に、先頭表示バイトを付加することによって、信号Aを生成する。
【００４８】
なお、先頭表示バイトは、一般的に、Nullパケットを示す表示情報部と呼ぶことができる。先頭表示バイトのサイズは、1バイトである。このため、先頭表示バイトのサイズ（1バイト）は、NullパケットのTSヘッダ部４１とNullパケットのペイロード部４２との合計のサイズ（188バイト）よりも小さくなる。
【００４９】
Nullパケット圧縮部１２２は、信号Aを伝送TSパケット化部１２３に出力する。
【００５０】
伝送TSパケット化部１２３は、信号Aを受け付けると、信号Aを、信号Aの先頭から184バイト単位、つまり、伝送TSパケット５のペイロード部５２のサイズに分割して、伝送TSパケット５のペイロード部５２を生成する。
【００５１】
伝送TSパケット化部１２３は、伝送TSパケット５のペイロード部５２のそれぞれに、新たに4バイトの伝送用TSヘッダ部５１を付加することによって、188バイトの伝送TSパケット５を生成し、伝送TSパケット５にて構成される信号Bを生成する（図３（ｃ）参照）。
【００５２】
なお、伝送TSパケット化部１２３は、ISDB-Tの多重フレーム内の先頭の放送TSパケット４のTSヘッダ部（以下「先頭TSヘッダ部」と称する）４１を、信号Bを構成するフレーム内の先頭の伝送TSパケット（以下「先頭伝送TSパケット」と称する）５のペイロード部５２の先頭位置に配置する。
【００５３】
さらに、伝送TSパケット化部１２３は、先頭伝送TSパケット５内の伝送用TSヘッダ部５１中のPayload_unit_start_indicator値を“１”とし、先頭伝送TSパケットが、放送TSを構成する多重フレームの境界であることを示す。
【００５４】
伝送TSパケット化部１２３は、信号Bを速度変換処理部１２４に出力する。
【００５５】
速度変換処理部１２４は、信号Bのビットレートを伝送TS用のビットレートに変換するためにNullパケットを信号Bに挿入して伝送TSを生成する。速度変換処理部１２４は、伝送TSを衛星回線送信機１３に出力する。
【００５６】
衛星回線送信機１３は、伝送TSを受け付けると、伝送TSを衛星装置３に送信する。
【００５７】
衛星装置３は、伝送TSを受信すると、伝送TSを受信局システム２に送信する。
【００５８】
受信局システム２は、衛星回線受信機２１と、受信側TS変換装置２２と、ISDB-T送信設備２３と、基準信号発生器２４と、を含む。
【００５９】
基準信号発生器２４は、GPS同期型の基準信号発生器である。基準信号発生器２４は、GPS信号に同期した10MHzの基準信号を発生する。基準信号発生器２４は、10MHzの基準信号を受信側TS変換装置２２に出力する。
【００６０】
衛星回線受信機２１は、一般的に受信手段と呼ぶことができる。衛星回線受信機２１は、衛星装置３から伝送TSを受信する。換言すると、衛星回線受信機２１は、衛星装置３から、複数の伝送TSパケット５を受信する。衛星回線受信機２１は、伝送TSを受信すると、伝送TSを受信側TS変換装置２２に出力する。
【００６１】
受信側TS変換装置２２は、衛星回線受信機２１から受け付けた伝送TSと、基準信号発生器２４から出力される10MHzの基準信号と、を受け、10MHzの基準信号に同期した放送TSの伝送クロックを生成し、伝送TSから放送TSを復元する。
【００６２】
図１（ｃ）は、受信側TS変換装置２２を示したブロック図である。
【００６３】
図１（ｃ）において、受信側TS変換装置２２は、伝送TS同期部２２１と、速度変換処理部２２２と、伝送用TSヘッダ除去部２２３と、先頭表示バイトサーチ処理部２２４と、放送TSパケット化部２２５と、を含む。伝送TS同期部２２１と速度変換処理部２２２と伝送用TSヘッダ除去部２２３とは、取得部２２Ａと呼ぶことができる。取得部２２Ａは、一般的に取得手段と呼ぶことができる。先頭表示バイトサーチ処理部２２４と放送TSパケット化部２２５は、変更部２２Ｂと呼ぶことができる。変更部２２Ｂは、一般的に変更手段と呼ぶことができる。
【００６４】
図４は、受信側TS変換装置２２で処理される信号B’、信号A’および放送TSを示した図である。
【００６５】
図１（ｃ）に示した取得部２２Ａは、衛星回線受信機２１にて受信された複数の伝送TSパケットから信号Aを取得し、取得された信号Aを信号A’として変更部２２Ｂに出力する。
【００６６】
変更部２２Ｂは、信号A’内に先頭表示バイトが存在する場合、その先頭表示バイトを、放送TSパケット４であるNullパケットのTSヘッダ部４１およびペイロード部４２に変更することによって、信号A’を放送TSに変更する。
【００６７】
伝送TS同期部２２１は、伝送TSの同期検出を行う。伝送TS同期部２２１は、例えば、受信側TS変換装置２２に入力された伝送TS内の伝送用TSヘッダ部５１から0x47値を検出する。
【００６８】
伝送TS同期部２２１は、0x47値の検出タイミングに同期した同期信号を生成し、その同期信号を、速度変換処理部２２２に出力する。
【００６９】
速度変換処理部２２２は、伝送TSと、伝送TS同期部２１１からの同期信号と、を受け付ける。速度変換処理部２２２は、伝送TS同期部２１１からの同期信号に同期したタイミングで、伝送TSパケット５の伝送用TSヘッダ部５１に記載された情報を読み出す。
【００７０】
速度変換処理部２２２は、伝送用TSヘッダ部５１に記載されたPIDがNullパケットを示す場合、Nullパケットを示すPIDが記載された伝送用TSヘッダ部５１を有する伝送TSパケット、つまり、速度変換処理部１２４が伝送用ビットレートの変換時に挿入したNullパケットを、伝送TSから削除して、信号B’を生成する。なお、信号B’は、信号Bと同一内容を示す。
【００７１】
速度変換処理部２２２は、信号B’内の伝送用TSヘッダ部５１から0x47値を検出し、0x47値の検出タイミングを示す同期情報を生成する。
【００７２】
速度変換処理部２２２は、信号B’と同期情報とを、伝送用TSヘッダ除去部２２３に出力する。
【００７３】
伝送用TSヘッダ除去部２２３は、信号B’と同期情報とを受信すると、同期情報にて示されたタイミングに同期して、信号B’内の伝送用TSヘッダ部５１からPayload_unit_start_indicator値を読み出し、Payload_unit_start_indicator値＝“１”を示す伝送用TSヘッダ部（以下「先頭伝送用TSヘッダ部」と称する）５１を検出する。
【００７４】
なお、先頭伝送用TSヘッダ部５１の直後には、先頭TSヘッダ部が配置されている。
【００７５】
このため、伝送用TSヘッダ除去部２２３は、先頭伝送用TSヘッダ部５１の検出結果を使用して、先頭伝送用TSヘッダ部５１の直後の先頭TSヘッダ部を特定する。
【００７６】
伝送用TSヘッダ除去部２２３は、その後、信号B’から伝送用TSヘッダ部５１を除去して、信号A’を生成する。
【００７７】
また、伝送用TSヘッダ除去部２２３は、先頭TSヘッダ部が信号A’内に存在する位置を特定するための特定情報を生成する。なお、特定情報としては、例えば、先頭TSヘッダ部が信号A’内に現れたときに“Ｈ”が現れる、信号A’に同期した信号が用いられる。
【００７８】
伝送用TSヘッダ除去部２２３は、信号A’と特定情報とを、先頭表示バイトサーチ処理部２２４および放送TSパケット化部２２５に出力する。なお、放送TSパケット化部２２５には、信号A’が出力されればよく、特定情報は、放送TSパケット化部２２５に出力されなくてもよい。
【００７９】
先頭表示バイトサーチ処理部２２４は、信号A’と特定情報とを受け付けると、特定情報にて信号A’内での位置が特定される先頭TSヘッダ部（ISDB-Tの多重フレームの先頭の放送TSパケットに含まれるTSヘッダ部）を、信号A’から検出する。
【００８０】
先頭表示バイトサーチ処理部２２４は、先頭TSヘッダ部を検出すると、信号A’内の先頭TSヘッダ部の位置を特定する先頭TSヘッダ部位置情報を生成する。なお、先頭表示バイトサーチ処理部２２４は、伝送用TSヘッダ除去部２２３からの特定情報を、先頭TSヘッダ部位置情報として用いてもよい。
【００８１】
また、先頭表示バイトサーチ部２２４は、先頭TSヘッダ部を基準に、それ以降のTSヘッダ部、および、0xB8値を持つ先頭表示バイトを検出し、TSヘッダ部が信号A’内に存在する位置を特定するためのTSヘッダ部位置情報と、先頭表示バイトが信号A’内に存在する位置を特定するための先頭表示バイト位置情報と、を生成する。
【００８２】
なお、TSヘッダ部位置情報としては、例えば、TSヘッダ部が信号A’内に現れたときに“Ｈ”となり信号A’に同期した信号が用いられる。また、先頭表示バイト位置情報としては、例えば、先頭表示バイトが信号A’内に現れたときに“Ｈ”となり信号A’に同期した信号が用いられる。
【００８３】
先頭表示バイトサーチ処理部２２４は、先頭TSヘッダ部位置情報とTSヘッダ部位置情報と先頭表示バイト位置情報とを、放送TSパケット化部２２５へ出力する。
【００８４】
放送TSパケット化部２２５は、TSヘッダ部位置情報と先頭表示バイト位置情報とを用いて、信号A’と、TSヘッダ部位置情報および先頭表示バイト位置情報との同期状態を確認する。
【００８５】
放送TSパケット化部２２５は、信号A’がTSヘッダ部位置情報および先頭表示バイト位置情報と同期している場合、先頭TSヘッダ部位置情報を元に、放送TSを構成する多重フレームの先頭位置を特定し、さらに、先頭表示バイト位置情報を元に、ISDB-T MUX装置１１からの放送TS中に存在していたNullパケットを再生し、204バイト形式の32.5Mbpsの放送TSを復元する。
【００８６】
このため、TSヘッダ部４１が4バイト、ペイロード部４２が184バイト、ダミーバイト部４３が16バイトの計204バイトで構成される放送TSパケットであるNullパケットが復元される。この結果、204バイト形式の放送TSを復元することができる。
【００８７】
放送TSパケット化部２２５は、復元された放送TSを、ISDB-T 送信設備２３に出力する。
【００８８】
ISDB-T 送信設備２３は、放送TSを受け付けると、放送TSをISDB-T方式の変調波に変換して地上デジタル放送用の信号を送信する。
【００８９】
なお、放送TSパケット化部２２５は、信号A’がTSヘッダ部位置情報および先頭表示バイト位置情報と同期していない場合、放送TSパケット化部２２５は、所定のエラー処理を行う。
【００９０】
次に、動作を説明する。
【００９１】
まず、送信側TS変換装置１２が放送TSを伝送TSに変換する動作を説明する。
【００９２】
送信側TS変換装置１２に入力された放送TS（図３（ａ）参照）は、放送TS同期部１２１によってTSヘッダ部４１から0x47値が検出された後、Nullパケット圧縮部１２２によって、放送TS内のNullパケットのTSヘッダ部４１（4バイト）とペイロード部４２（184バイト）が削除される。
【００９３】
Nullパケット圧縮部１２２は、残ったII+RS部４３（16バイト）に、先頭表示バイト（1バイト）を付加し、図３（ｂ）に示す信号Aを生成する。Nullパケット圧縮部１２２は、信号Aを伝送TSパケット化部１２３に出力する。
【００９４】
伝送TSパケット化部１２３は、信号Aを受け付けると、信号Aを、データの先頭から184バイト単位で分割して、伝送TSパケットのペイロード部５２を生成していく。伝送TSパケット化部１２３は、伝送TSパケットのペイロード部５２のそれぞれに、新たに伝送用TSヘッダ部５１（4バイト）を付加することによって、188バイトの伝送TSパケット５を生成し、伝送TSパケット５にて構成される信号B（図３（ｃ）参照）を生成する。
【００９５】
また、伝送TSパケット化部１２３は、先頭TSヘッダ部（ISDB-Tの多重フレーム内の先頭の放送TSパケット４のTSヘッダ部）４１を、先頭伝送TSパケット（信号Bを構成するフレーム内の先頭の伝送TSパケット）５のペイロード部５２の先頭位置に配置する。
【００９６】
続いて、伝送TSパケット化部１２３は、先頭伝送TSパケット５内の伝送用TSヘッダ部５１中のPayload_unit_start_indicator値を“１”とし、先頭伝送TSパケットが、放送TSを構成する多重フレームの境界であることを示す。
【００９７】
伝送TSパケット化部１２３は、信号Bを速度変換処理部１２４に出力する。
【００９８】
速度変換処理部１２４は、信号Bを受け付けると、信号Bのビットレートを伝送TS用のビットレートに変換するために、信号BにNullパケットを挿入して伝送TSを生成する。
【００９９】
この結果、204バイト形式の放送TSを、188バイト形式の伝送TSパケット用の伝送路で伝送可能な形に変換し、かつ、32.5Mbpsの伝送量を低減することができる。
【０１００】
送信側TS変換装置１２で生成された伝送TSは、衛星回線送信機１３に出力され、衛星回線送信機１３から衛星装置３に送信される。衛星装置３は、伝送TSを衛星回線受信機２１に送信する。
【０１０１】
次に、受信側TS変換装置２２が伝送TSを放送TSに復元する動作を説明する。
【０１０２】
受信側TS変換装置２２は、衛星回線受信機２１が受信した伝送TSを受け付ける。
【０１０３】
伝送TS同期部２２１は、受信側TS変換装置２２に入力された伝送TS内の伝送用TSヘッダ部５１から0x47値を検出し、0x47値の検出タイミングに同期した同期信号を生成する。伝送TS同期部２２１は、同期信号を、速度変換処理部２２２に出力する。
【０１０４】
速度変換処理部２２２は、受信側TS変換装置２２に入力された伝送TSと、伝送TS同期部２２１からの同期信号と、を受け付けると、伝送TSから、速度変換処理部１２４が伝送用ビットレートの変換時に挿入したNullパケットを削除し、図４（ａ）に示す信号B’を生成する。
【０１０５】
速度変換処理部２２２は、信号B’を生成すると、信号B’内の伝送用TSヘッダ部５１から0x47値を検出し、0x47値の検出タイミングを示す同期情報を生成する。
【０１０６】
速度変換処理部２２２は、信号B’と同期情報とを、伝送用TSヘッダ除去部２２３に出力する。
【０１０７】
伝送用TSヘッダ除去部２２３は、信号B’と同期情報とを受け付けると、同期情報にて示されたタイミングに同期して、信号B’内の伝送用TSヘッダ部５１からPayload_unit_start_indicator値を読み出し、Payload_unit_start_indicator値＝“１”を示す伝送用TSヘッダ部（先頭伝送用TSヘッダ部）５１を検出する。
【０１０８】
伝送用TSヘッダ除去部２２３は、先頭伝送用TSヘッダ部５１を検出すると、先頭伝送用TSヘッダ部の検出結果を使用して、先頭伝送用TSヘッダ部５１の直後の先頭TSヘッダ部を特定する。
【０１０９】
その後、伝送用TSヘッダ除去部２２３は、信号B’から伝送用TSヘッダ部５１を除去して、信号A’を生成する。
【０１１０】
伝送用TSヘッダ除去部２２３は、信号A’を作成すると、先頭TSヘッダ部が信号A’内に存在する位置を特定するための特定情報を生成する。
【０１１１】
伝送用TSヘッダ除去部２２３は、特定情報を生成すると、信号A’と特定情報とを、先頭表示バイトサーチ処理部２２４および放送TSパケット化部２２５に出力する。
【０１１２】
先頭表示バイトサーチ処理部２２４は、信号A’と特定情報とを受け付けると、特定情報にて信号A’内での位置が特定される先頭TSヘッダ部（ISDB-Tの多重フレームの先頭の放送TSパケットに含まれるTSヘッダ部）を、信号A’から検出する。
【０１１３】
先頭表示バイトサーチ処理部２２４は、先頭TSヘッダ部を検出すると、先頭TSヘッダ部位置情報を生成する。
【０１１４】
続いて、先頭表示バイトサーチ部２２４は、先頭TSヘッダ部を基準に、それ以降のTSヘッダ部、および、0xB8値を持つ先頭表示バイトを検出し、TSヘッダ部位置情報と先頭表示バイト位置情報とを生成する。
【０１１５】
先頭表示バイトサーチ処理部２２４は、先頭TSヘッダ部位置情報とTSヘッダ部位置情報と先頭表示バイト位置情報とを、放送TSパケット化部２２５へ出力する。
【０１１６】
放送TSパケット化部２２５は、信号A’と特定情報と先頭TSヘッダ部位置情報とTSヘッダ部位置情報と先頭表示バイト位置情報とを受け付けると、TSヘッダ部位置情報と先頭表示バイト位置情報とを用いて、信号A’と、TSヘッダ部位置情報および先頭表示バイト位置情報と、の同期状態を確認する。
【０１１７】
放送TSパケット化部２２５は、信号A’がTSヘッダ部位置情報および先頭表示バイト位置情報と同期している場合、先頭TSヘッダ部位置情報を元に、放送TSを構成する多重フレームの先頭位置を特定し、さらに、先頭表示バイト位置情報を元に、ISDB-T MUX装置１１からの放送TS中に存在していたNullパケットを再生し、204バイト形式の32.5Mbpsの放送TSを復元する。
【０１１８】
本実施形態では、放送TSパケット化部２２５は、信号A’の先頭位置にTSヘッダ部が存在する場合は、TSヘッダ部を先頭位置としTSヘッダ部から204バイト目の箇所を最終位置とする信号を、信号A’から分割して、信号A’から分割された信号を、放送TSパケットとして扱う。
【０１１９】
また、放送TSパケット化部２２５は、放送TSパケットが分割された信号A’の先頭位置にTSヘッダ部が存在する場合は、TSヘッダ部を先頭位置としTSヘッダ部から204バイト目の箇所を最終位置とする信号を、信号A’から分割して、信号A’から分割された信号を、放送TSパケットとして扱う。
【０１２０】
また、放送TSパケット化部２２５は、信号A’の先頭位置に先頭表示バイトが存在する場合は、先頭表示バイトを削除し、NullパケットのPID（パケットＩＤ）を持つTSヘッダ部４１とペイロード部４２とを、信号A’の先頭箇所に付加する。放送TSパケット化部２２５は、先頭表示バイトの後部に付加されていたII+RS部４３をそのままとし、184バイト分の圧縮されていた無効データをペイロード部４２に格納する。放送TSパケット化部２２５は、NullパケットのPIDを持つTSヘッダ部４１と、無効データが格納されたペイロード部４２と、II+RS部４３と、からなるNullパケットを、放送TSパケットとして信号A’から分割する。
【０１２１】
また、放送TSパケット化部２２５は、放送TSパケットが分割された信号A’の先頭位置に先頭表示バイトが存在する場合は、先頭表示バイトを削除し、NullパケットのPIDを持つTSヘッダ部４１とペイロード部４２とを、信号A’の先頭箇所に付加する。放送TSパケット化部２２５は、先頭表示バイトの後部に付加されていたII+RS部４３をそのままとし、184バイト分の圧縮されていた無効データをペイロード部４２に格納する。放送TSパケット化部２２５は、NullパケットのPIDを持つTSヘッダ部４１と、無効データが格納されたペイロード部４２と、II+RS部４３と、からなるNullパケットを、放送TSパケットとして信号A’から分割する。
【０１２２】
このため、204バイト形式の放送TSが復元される。
【０１２３】
なお、放送TSパケット化部２２５にて復元された放送TSについての伝送クロックは、送信局システム１の放送TS同様、GPS信号との同期が取られているため、ISDB-T MUX装置１１が生成する伝送クロックと完全に同期する。
【０１２４】
また、放送TSパケット化部２２５が復元した放送TS（ISDB-Tの多重フレーム）内での各パケットの位置も、ISDB-T MUX装置１１が生成した放送TS（ISDB-Tの多重フレーム）内での各パケットの位置と完全に一致する。
【０１２５】
このため、放送TSパケット化部２２５が復元した放送TSの構造（ISDB-Tの多重フレーム構造）も、ISDB-T MUX装置１１が生成した放送TSの構造（ISDB-Tの多重フレーム構造）と完全に一致する。また、放送TSパケット化部２２５が復元した放送TSとISDB-T MUX装置１１が生成した放送TSでは、PCRパケットの配置位置も同一となり、PCRパケット内のPCR値の補正も不要である。
【０１２６】
受信側TS変換装置２２で復元された放送TSは、ISDB-T 送信設備２３に入力される。
【０１２７】
本実施形態によれば、送信局システム１では、生成部１２Ａは、放送TS内に放送TSパケット４の一種であるNullパケットが存在する場合、そのNullパケット内のTSヘッダ部４１およびペイロード部４２、つまり、圧縮対象部分を、先頭表示バイトに変換することによって、放送TSを圧縮して、データ信号である信号Aを生成する。送信部１２Ｂは、信号Aを複数の伝送TSパケット５を用いて送信する。
【０１２８】
このため、放送TS内のNullパケットが圧縮された状態で存在する信号Aが、複数の伝送TSパケットを用いて送信されることになる。よって、放送TS内のNullパケットが圧縮された状態で存在する放送TSが複数の伝送TSパケットを用いて送信される場合に比べて、伝送量の削減、および、伝送帯域の圧縮が可能になる。
【０１２９】
また、放送TS内のパケット数およびパケットの並びは、信号Aでも維持される。このため、放送TS内のパケットにて構成される多重フレームの構成は信号Aでも維持される。  また、本実施形態では、受信局システム２では、衛星回線受信機２１は、送信局システム１から送信された複数の伝送TSパケット５を受信する。取得部２２Ａは、衛星回線受信機２１にて受信された複数の伝送TSパケット５から信号Aを取得し、信号Aを信号A’として出力する。変更部２２Ｂは、信号A’内に先頭表示バイトが存在する場合、先頭表示バイトを、放送TSパケット４であるNullパケットのTSヘッダ部４１およびペイロード部４２に変更することによって、信号A’を放送TSに変更する。
【０１３０】
上述したように放送TS内のパケット数およびパケットの並びは、信号Aでも維持される。このため、放送TS内のパケットにて構成される多重フレームの構成は信号Aでも維持される。よって、受信局システム２は、信号A内に存在する圧縮されたNullパケットを復元すれば、多重フレームの構成を考慮することなく放送TSを再生することが可能になる。
【０１３１】
よって、受信局システム２が、伝送TSに基づいてフレーム構成パターンを再生成し、再生成されたフレーム構成パターンに基づいて、多重フレームを再構築する必要がなくなる。
【０１３２】
また、放送TS内のパケット数およびパケットの並びは、信号Aでも維持されるため、再生後の放送TS内のPCRパケットの多重位置も、元の放送TS内のPCRパケットの多重位置と同一となる。このため、送信局システム１および受信局システム２においてPCRパケット内の情報を補正するためのPCR補正回路を不要することができる。
【０１３３】
なお、上記実施形態では、伝送TSパケットのサイズを188バイトとしたが、伝送TSパケットのサイズは適宜変更可能であり、例えば、204バイトでもよい。
【０１３４】
また、上記実施形態では、放送TSとして、地上デジタル放送用の放送TSが用いられたが、放送TSは適宜変更可能であり、例えば、放送TSとして、BS/CSデジタル放送用の放送TSが用いられてもよい。
【０１３５】
また、上記実施形態では、地上デジタル放送用の放送TSとして、ISDB-T形式の放送TSが用いられたが、地上デジタル放送用の放送TSは適宜変更可能である。
【０１３６】
また、上記実施形態の受信局システム２の代わりに、復元した放送TSを再送信する再送信システムが使用されてもよい。
【０１３７】
また、受信局システム２のISDB-T送信設備２３にてRS誤り訂正が不要な場合、Nullパケット圧縮部１２２は、Nullパケットの圧縮時、ダミーバイト部（16バイト）を全て残すのではなく、ダミーバイト部のうちISDB-T_information部（8バイト）のみを残してもよい。この場合、更なる伝送量の削減、および、更なる伝送帯域の圧縮が可能になる。
【０１３８】
また、本実施形態では、ISDB-Tの多重フレームの先頭パケットが、伝送TS内のフレーム内の先頭パケットのペイロードに来るようにしたが、ISDB-Tの多重フレームの先頭パケットと伝送TS内のフレーム内の先頭パケットとの関係は上記に限るものではない。
【０１３９】
例えば、任意の間隔で、放送TSのTSヘッダ部が、伝送TSの伝送用TSヘッダ部の直後に来るように配置され、かつ、放送TSのTSヘッダ部が直後に来る伝送用TSヘッダ部中のPayload_unit_start_indicator値を“１”にしてもよい。
【０１４０】
また、本実施形態では、衛星装置３を介して伝送TSが伝送されたが、伝送TSは、衛星装置３を介さずに伝送されてもよい。
【０１４１】
また、本実施形態では、送信局システム１はISDB-T NUX装置１１と基準信号発生器１４とを有したが、送信局システム１はISDB-T NUX装置１１と基準信号発生器１４を有さず、送信局システム１内の送信側TS変換装置１２が、外部のISDB-T NUX装置１１から放送TSを受け付けてもよい。
【０１４２】
また、本実施形態では、圧縮対象部分として、放送TSパケットの一種であるNullパケット内のTSヘッダ部４１およびペイロード部４２で構成される部分が用いられたが、圧縮対象部分は適宜変更可能である。例えば、圧縮対象部分として、放送TSパケットの一種であるNullパケット内のTSヘッダ部４１のみが用いられてもよいし、また、放送TSパケットの一種であるNullパケット内のTSヘッダ部４１とペイロード部４２の一部とを併せた部分が用いられてもよい。
【０１４３】
なお、本実施形態は、衛星回線、FPU（Field Pickup Unit）回線など、各種回線を用いた地上デジタル放送TSまたはBS/CSデジタル放送TSの伝送システムに利用することが可能である。
【０１４４】
以上説明した実施形態において、図示した構成は単なる一例であって、本発明はその構成に限定されるものではない。
【符号の説明】
【０１４５】
１      送信局システム
１１    ISDB-T MUX装置
１２    送信側TS変換装置
１２Ａ  生成部
１２Ｂ  送信部
１２１  放送TS同期部
１２２  Nullパケット圧縮部
１２３  伝送TSパケット化部
１２４  速度変換処理部
１３    衛星回線送信機
１４    基準信号発生器
２      受信局システム
２１    衛星回線受信機
２２    受信側TS変換装置
２２Ａ  取得部
２２Ｂ  変更部
２２１  伝送TS同期部
２２２  速度変換処理部
２２３  伝送用TSヘッダ除去部
２２４  先頭表示バイトサーチ処理部
２２５  放送TSパケット化部
２３    ISDB-T送信設備
２４    基準信号発生器
３      衛星装置
【図１】
2011176684.tif 000003
【図２】
2011176684.tif 000004
【図３】
2011176684.tif 000005
【図４】
2011176684.tif 000006